(57)【要約】【課題】安全性と衛生面を確保したマッサージ器【解決手段】  陰茎型器体１、当接板２、リップ型フィンガーサック３で構成され陰茎型器体は、筒状振動機構を内蔵し、外部が硬質樹脂ケースで被覆され、更にその外側が軟質樹脂カバーで被覆され、その付け根内部に指先収納凹溝が一体成型される。当接板は、略円形成形体として前記器体の付け根に一体成型され、リップ型フィンガーサックは、前記当接板の後方に一体成型され、その長手方向に直交してその中央位置に切り込みが設けられて、使用時、指先をリップ型フィンガーサックにから入れて当接板を通して前記器体内部の凹溝に押し当て、電源を入れると共に女性性器を刺激する。又は、指先を前記リップ型フィンガーサックから入れて中央位置の切り込みから突き出して指先を前記当接板に押し当てて他の指と合わせて支えればマッサージ作用のみ利用できる。【選択図】図１
0003111035.tif 000002
【実用新案登録請求の範囲】
【請求項１】
陰茎型器体、当接板、リップ型フィンガーサックで構成されてなり、
前記陰茎型器体は、モーター、電池、電源の入断を行なうロッド式又は押しボタン式導電シートを備えてなる筒状振動機構を内蔵し、前記筒状振動機構の外部は硬質樹脂ケースで被覆されるとともに前記硬質樹脂ケースの外側はさらに軟質樹脂カバーで被覆されて、長さ約3センチ〜3.5センチ、最大直径1.5センチとし、前記陰茎型器体の付け根内部に指先を収容するための、長径約2センチ、短径1.5センチの楕円球体の4分の1の球面状凹溝が予め一体成型され、
前記当接板は、予め一体成型されている長径と短径が約3.0〜3.5センチの円形、楕円形、ハート型などの形状をなす略円形成形物であり、
前記リップ型フィンガーサックは、前記当接板後方に予め一体成型された、長さ約2センチ、幅2〜2.5センチのリップ型袋状の成形部で、その長手方向と直交してその中央位置に約1.5センチの切り込みが設けられてなる、
これらの一体成型構造により使い捨て式とした衛生マッサージ器。
【考案の詳細な説明】
【技術分野】
【０００１】
本考案は、使い捨て式の衛生的なマッサージ器に関する。
【背景技術】
【０００２】
近年、世界はかっての欧米などのようにいち早く発展を遂げた国ばかりでなく、多くの国々が経済的発展と共に、高度な文化的生活を享受するようになってきている。
ところで、このような経済的、文化的に恵まれた環境においても、社会の複雑化、そこに住む人間関係の複雑化、そして何よりもこれらの背景となっている経済的活動に伴うストレスの増大は個人にとって大きな心理的負担となってのしかかっているのである。
いわゆるノイローゼなどばかりでなく、心理的な障害に起因する一面を有するものに性的不感症など、性的障害に悩むケースがあり、これらの社会の複雑化、高度化に伴いこのような症例は一層増加する傾向にある。
これらを緩和し、或は正常な感性を取り戻す手段として、男性のみでなく、女性に対しても性的機能障害を克服するための手段、機器が開発されてきている。
古くは、ディルドーなどとして使用された機器があり、若干いかがわしい目で見られやすいが、社会的な様相では堅固な感のある、中世西欧や江戸時代の日本、或は近世中国などにおいて、性的にはむしろおおらかであって、これらのストレス解消は自然になされていたともいえるのである。
そして、従来これらの性的な問題への取り組みは、タブーとされてきた一面があるが、近年では身体的障害者や老齢化、或は心理的障害のために正常な性生活を営むことのできない場合に対し、これらの問題を正常な生活への復帰という課題として捉え、ケアの領域として扱うようになってきている。しかしながら、永年にわたっていわばタブー視されてきたこれらの手段については、安全性や衛生面など多くの点で健全な取り組みがなされておらず、不充分な面が多い。
【特許文献１】登録実用新案第３１０１１４５号公報
【特許文献２】登録実用新案第３０８９６２５号公報
【考案の開示】
【考案が解決しようとする課題】
【０００３】
現在、これらの性的な障害治療用途向けなどに市販されているマッサージ器は、マッサージ器本体、電池収納体および／または電線が外付けされた制御ボタンで構成され、その形状が粗大で収納に不便であるばかりか、安全面にも問題があり、何度も重複して使用されるなど衛生上不適切であった。
【課題を解決するための手段】
【０００４】
陰茎型器体、当接板、リップ型フィンガーサックで構成された使い捨て式マッサージ器であって、
前記陰茎型器体は、モーター、電池、電源の入断を行なうロッド式又は押しボタン式導電シートを備えてなる筒状振動機構を内蔵し、前記筒状振動機構の外部は硬質樹脂ケースで被覆されるとともに前記硬質樹脂ケースの外側はさらに軟質樹脂カバーで被覆されて、長さ約3センチ〜3.5センチ、最大直径1.5センチとし、前記陰茎型器体の付け根内部に指先を収容するための、長径約2センチ、短径1.5センチの楕円球体の4分の1の球面状凹溝が予め一体成型され、
前記当接板は、予め一体成型されている長径と短径が約3.0〜3.5センチの円形、楕円形、ハート型などの形状をなす略円形成形物であり、
前記リップ型フィンガーサックは、前記当接板後方に予め一体成型された、長さ約2センチ、幅2〜2.5センチのリップ型袋状の成形部で、その長手方向と直交してその中央位置に約1.5センチの切り込みが設けられてなる、
使い捨て式衛生マッサージ器。
【考案の効果】
【０００５】
本件考案の衛生マッサージ器は、全体が電源のボタン電池も含めて密閉された一体成型構造であって、これらの構造から安全で衛生的であるばかりでなく、製造が容易かつ安価であって使用後は使い捨てであるため、より一層衛生的で、細菌感染などの問題を解決する。
【考案を実施するための最良の形態】
【０００６】
本考案者は、これらの衛生上の問題点を配慮して研究を続け、コンパクト化、収納に至便で、安全性と衛生上の問題がない使い捨てマッサージ器の開発を目指して検討と研究を重ねた結果、筒状振動機構が内蔵され、その外部が硬質樹脂ケースで被覆され、さらに該ケースの外側が軟質樹脂カバーで被覆され、その付け根内部に指先収納凹溝が予め一体成型される陰茎型器体と、前記器体の付け根に予め一体成型される略円形成型物である当接板と、当接板の後方に予め一体成型され、その長手方向との直交方向の中央位置に切り込みが形成されたリップ型フィンガーサックと、からなるマッサージ器において、使用時指先を前記リップ型フィンガーサックに入れて当接板を通して、指腹を前記器体の付け根内部に予め一体成型された指先収納凹溝に押し当て、電源を入れた後、指先を動かして女性性器を刺激する、または指先を前記リップ型フィンガーサックから入れるとともに中央位置の切り込みから突き出して前記リップ型フィンガーサックの前段を引き環として指を掛けて指の腹を前記当接板に押し当て、他の指との間で前記当接板を支えるとともに前記陰茎型器体を下向きにし、電源を入れた後、前記陰茎型器体を振動させ、通常のマッサージのみの作用をさせて使用することができることを見出し、本考案を完成させた。
【０００７】
本考案に係わる使い捨てマッサージ器は、陰茎型器体、当接板、リップ型フィンガーサックで構成され、前記陰茎型器体はモーター、電池、ロッド式または押しボタン式導電シートを備えた筒状振動機構を内蔵してなり、該筒状振動機構の外部は硬質樹脂ケースで被覆されるとともに前記硬質樹脂ケースの外側はさらに軟質樹脂カバーで被覆されるように作製されている（長さ約3センチ〜3.5センチ、最大直径1.5センチ）。前記陰茎型器体の外側及び当接板、リップ型フィンガーサックはいずれも食品衛生規格級の軟質シリコン樹脂、またはTPR（熱可塑性エラストマー）樹脂で一体成型され、前記筒状振動機構の外部を被覆する硬質樹脂ケースの材質は特に限定されておらず、ABS（アクリロニトリル・ブタジエン・スチレン）樹脂のほか、その他の安全衛生に適した材質を採用することができる。
前記筒状振動機構に内蔵された導電シートはロッド式、または押しボタン式を採用し、利用者によりいずれを採用するか決めればよく、前記振動機構本体の上方でスイッチを入れる場合押しボタン式を採用し、前記振動機構本体の下方でスイッチを入れる場合ロッド式を採用する。前記振動機構本体下方の前記筒状振動機構の外側を被覆する軟質樹脂カバー内のロッドまたは押しボタンを押すまたは押下して電源を入れ、内蔵したモーターの後側が電池の一極と接触した状態において、導電シートの一端と電池の別の一極に接続し、前記導電シートを押下してその別端をモーターケースに接触させると、電源を入れ、モーター内に設置された偏心ローターをくねり、バイブレーション又は振動させることができる。前記筒状振動機構内の動力はボタン電池から供給され、電力の持続時間は約20分〜30分で使用後は、マッサージ器全体が一体成形であって電池も密封されているから使い捨てである。
このように本考案にかかるマッサージ器の構造は、一体化された密封構造であることから安全且つ衛生的であるが、同時に安価に製造可能であって使い捨てとすることができるから、極めて衛生的である。このことは、医療用機器或はそれに準ずる機器として必須の要件である。
前記陰茎型器体は最大直径約1.5センチに予め成型され、主に使用者の指先の幅、または直径（約1.5センチ）に合わせて調整、その長さを約3.0〜3.5センチにし、指先の腹を前記陰茎型器体の付け根内部に予め一体成型された指先収納凹溝に嵌めこむとき、前記陰茎型器体を性器内に挿入する長さを約3.0〜3.5センチにし、挿入過ぎによる性器内及びその他の組織を傷つけることなく、十分接触させる。したがって、本人でなく施療者による場合も安全性が確保される。
【０００８】
前記陰茎型器体の付け根内部に予め一体成型された指先収納凹溝は、長径約2センチ、短径1.5センチの楕円球体の4分の1の球面状凹溝であり、丁度指腹にフィットし、なお且つ指先が滑らないように該凹溝面が粗い面に予め加工され、使用者の指先がリップ型フィンガーサックを通して指先収納凹溝に達してから、指先を自由に動かして前記陰茎型器体の振動方向ポイントをコントロールすることができる。
本考案に係わる使い捨てマッサージ器において、当接板は長径短径が約3.0〜3.5センチの略円形（円形、楕円形、ハート型など）の成形物に予め一体成型され、指先を前記陰茎型器体の内部に挿入後、指の皮膚が性器に接触することに起因する細菌感染を防止することができる。
本考案に係わる使い捨てマッサージ器において、リップ型フィンガーサックは前記当接板の後部に予め一体成型された長さ約2センチ、幅約2〜2.5センチのリップ型袋状物であり、その長手方向との直交方向の中央位置に約1.5センチの切り込みが形成され、指先を前記リップ型フィンガーサックから突き通すとともに中央位置の切り込みから突き出し、前記リップ型フィンガーサックの前段を引き環とし、指腹を前記当接板に押し当て、指を合わせて前記当接板を支えるとともに前記陰茎型器体を下向きにし、電源を入れた後、前記陰茎型器体を振動させる、通常のマッサージ器として使用することができる。
以下、添付図面を参照しながら、実施例に合わせて本考案の技術内容をさらに詳しく説明するが、これは本考案を限定するものではない。本考案の技術力を備えた通常の技術者が本考案の技術内容に対して行った部品サイズ、形状、材質、構造などへのいかなる修飾も本考案の範囲を逸脱していない。
［実施例］
【０００９】
本考案者が考案した使い捨てマッサージ器は、食品衛生規格級の軟質シリコン樹脂、またはTPR（熱可塑性エラストマー）樹脂で一体成型された陰茎型器体1と、当接板2と、リップ型フィンガーサック3とで構成され、前記陰茎型器体1にはモーター8、電池7、ロッド式導電シート6を備えた筒状振動機構が内蔵され、なお且つ該筒状振動機構の外部は硬質樹脂ケース9で被覆されるとともに前記硬質樹脂ケース9の外側はさらに軟質樹脂カバー10で被覆されるように作製され（長さ約3センチ〜3.5センチ、最大外径1.5センチ）、前記陰茎型器体は最大外径約1.5センチ、長さ約3.0〜3.5センチに予め作製され、前記陰茎型器体の付け根内部に予め一体成型された長径約2センチ、短径1.5センチの楕円球体の4分の1の球面状凹溝が指先の腹を格納し、前記当接板は予め一体成型された長径と短径が約3.0〜3.5センチの略円形（円形、楕円形、ハート型などでも良い）成形物であり、前記当接板3の後方は予め一体成型された長さ約2センチ、幅2〜2.5センチのリップ型袋状物であり、なお且つその長手方向と直交してその中央位置に幅約1.5センチの切り込み5が形成されている。
使用時指先を前記リップ型フィンガーサック3に入れて当接板2を通して前記陰茎型器体1の付け根内部に予め一体成型された指先収納凹溝4に押し当て、電源を入れた後、その指先で前記陰茎型器体1を動かして女性性器を刺激することができる。又は、指先を前記リップ型フィンガーサック3に入れて中央位置の切り込み5から突き出し、前記リップ型フィンガーサック3の前段を引き環として指腹を前記当接板2に押し当てながら、他の指と合わせて前記当接板2を支えると共に前記陰茎型器体1を下向きにし、電源を入れた後、前記陰茎型器体1を振動させることにより、通常のマッサージ作用のみを利用して使用することができる。
【図面の簡単な説明】
【００１０】
【図１】本考案に係わる使い捨てマッサージ器の外観拡大図。
【図２】本考案に係わる使い捨てマッサージ器の後面図。
【図３】本考案に係わる使い捨てマッサージ器の正面図。
【図４】図３における筒状振動機構を備えた使い捨てマッサージ器のA―A線断面図。
【符号の説明】
【００１１】
1陰茎型器体
2当接板
3リップ型フィンガーサック
4凹溝
5切り込み
6ロッド式導電シート
7電池
8モーター
9硬質樹脂ケース
10軟質樹脂カバー
【図１】
0003111035.tif 000003
【図２】
0003111035.tif 000004
【図３】
0003111035.tif 000005
【図４】
0003111035.tif 000006